【手続補正書】
【提出日】平成20年11月27日(2008.11.27)
【手続補正１】
【補正対象書類名】特許請求の範囲
【補正対象項目名】全文
【補正方法】変更
【補正の内容】
【特許請求の範囲】
【請求項１】
エレベータ昇降路内に上下方向に配置し、前記昇降路壁に取付けるかご用ガイドレールと、
前記かご用ガイドレールに沿って昇降可能な乗りかごと、
前記エレベータ昇降路内に上下方向に配置し、前記昇降路壁に取付けるカウンタウェイト用ガイドレールと、
前記カウンタウェイト用ガイドレールに沿って昇降可能なカウンタウェイトと、
前記昇降路壁と、前記かご用ガイドレール及び前記カウンタウェイト用ガイドレールの少なくとも一方との間に配置し、前記ガイドレールを前記昇降路壁に対して離間距離ｈを保つためのものであって、その一端部を前記昇降路壁に取付け、かつその他端部を前記ガイドレールに取付ける取付手段と、
前記昇降路壁の上部であって、前記かご用ガイドレール及び前記カウンタウェイト用ガイドレールの少なくとも一方に支持され、前記乗りかごと前記カウンタウェイトを懸架している１組のロープを巻上げ駆動するトラクションシーブを有した駆動装置とを備え、
前記昇降路壁と前記ガイドレールの間の離間距離ｈは、前記駆動装置を設置するためのスペースを確保するためのものであり、前記取付手段の一端を前記昇降路壁への取付けは、前記昇降路の上下方向に間隔を存して配置する少なくとも２本のアンカボルトで行い、前記駆動装置を前記ガイドレールに支持することで機械室をなくしたことを特徴とするエレベータ装置。
【請求項２】
エレベータ昇降路内に上下方向に配置し、前記昇降路壁に取付けるかご用ガイドレールと、
前記かご用ガイドレールに沿って昇降可能な乗りかごと、
前記エレベータ昇降路内に上下方向に配置し、前記昇降路壁に取付けるカウンタウェイト用ガイドレールと、
前記カウンタウェイト用ガイドレールに沿って昇降可能なカウンタウェイトと、
前記昇降路壁と、前記かご用ガイドレール及び前記カウンタウェイト用ガイドレールの少なくとも一方との間に配置し、前記ガイドレールを前記昇降路壁に対して離間距離ｈを保つためのものであって、その一端部を前記昇降路壁に取付け、かつその他端部を前記ガイドレールに取付ける取付手段と、
前記昇降路壁の上部であって、前記かご用ガイドレール及び前記カウンタウェイト用ガイドレールの少なくとも一方に支持され、前記乗りかごと前記カウンタウェイトを懸架している１組のロープを巻上げ駆動するトラクションシーブを有した駆動装置とを備え、
前記駆動装置が支持される昇降路上部近傍のガイドレールの取付手段は、それ以外のガイドレールの取付手段より曲げ剛性及び機械強度の大きい部材としたことを特徴とする機械室をなくしたエレベータ装置。
【請求項３】
前記ガイドレールを取付ける前記取付手段の他端部に前記ガイドレールから作用する荷重をＷ、前記アンカボルトの許容引張力をｆ、前記アンカボルトの１列当たりの個数をｎ、前記アンカボルトの前記昇降路壁の上下方向の配列間隔をＬとしたとき、Ｗｈ／２ｎｆ≦Ｌ≦Ｗｈ／ｎｆを満足するように、前記アンカボルトの昇降路上下方向の取付け間隔を定めたことを特徴とする請求項１又は２記載のエレベータ装置。
【請求項４】
前記取付手段は、前記ガイドレールに取付けられるブラケットと、前記ブラケットに接合され前記昇降路壁に取付けられるファスナを備えたことを特徴とする請求項１乃至３のいずれか一つに記載のエレベータ装置。
【請求項５】
前記取付手段は、前記ガイドレールに取付けられる断面コ字形のブラケットと、前記ブラケットに接合され前記昇降路壁に取付けられる断面Ｌ字形又は断面Ｔ字形のファスナを備えたことを特徴とする請求項１乃至３のいずれか一つに記載のエレベータ装置。
【手続補正２】
【補正対象書類名】明細書
【補正対象項目名】００１２
【補正方法】変更
【補正の内容】
【００１２】
そこで、本発明の目的はガイドレール長手方向に荷重が作用してもガイドレール取付手段に発生する曲げモーメン卜を最小限にしたエレベータ装置を提供することにある。
【手続補正３】
【補正対象書類名】明細書
【補正対象項目名】００１３
【補正方法】変更
【補正の内容】
【００１３】
前記目的を達成するため、請求項１に対応する発明は、エレベータ昇降路内に上下方向に配置し、前記昇降路壁に取付けるかご用ガイドレールと、
前記かご用ガイドレールに沿って昇降可能な乗りかごと、
前記エレベータ昇降路内に上下方向に配置し、前記昇降路壁に取付けるカウンタウェイト用ガイドレールと、
前記カウンタウェイト用ガイドレールに沿って昇降可能なカウンタウェイトと、
前記昇降路壁と、前記かご用ガイドレール及び前記カウンタウェイト用ガイドレールの少なくとも一方との間に配置し、前記ガイドレールを前記昇降路壁に対して離間距離ｈを保つためのものであって、その一端部を前記昇降路壁に取付け、かつその他端部を前記ガイドレールに取付ける取付手段と、
前記昇降路壁の上部であって、前記かご用ガイドレール及び前記カウンタウェイト用ガイドレールの少なくとも一方に支持され、前記乗りかごと前記カウンタウェイトを懸架している１組のロープを巻上げ駆動するトラクションシーブを有した駆動装置とを備え、
前記昇降路壁と前記ガイドレールの間の離間距離ｈは、前記駆動装置を設置するためのスペースを確保するためのものであり、前記取付手段の一端を前記昇降路壁への取付けは、前記昇降路の上下方向に間隔を存して配置する少なくとも２本のアンカボルトで行い、前記駆動装置を前記ガイドレールに支持することで機械室をなくしたことを特徴とするエレベータ装置である。
【手続補正４】
【補正対象書類名】明細書
【補正対象項目名】００１４
【補正方法】変更
【補正の内容】
【００１４】
前記目的を達成するため、請求項２に対応する発明は、エレベータ昇降路内に上下方向に配置し、前記昇降路壁に取付けるかご用ガイドレールと、
前記かご用ガイドレールに沿って昇降可能な乗りかごと、
前記エレベータ昇降路内に上下方向に配置し、前記昇降路壁に取付けるカウンタウェイト用ガイドレールと、
前記カウンタウェイト用ガイドレールに沿って昇降可能なカウンタウェイトと、
前記昇降路壁と、前記かご用ガイドレール及び前記カウンタウェイト用ガイドレールの少なくとも一方との間に配置し、前記ガイドレールを前記昇降路壁に対して離間距離ｈを保つためのものであって、その一端部を前記昇降路壁に取付け、かつその他端部を前記ガイドレールに取付ける取付手段と、
前記昇降路壁の上部であって、前記かご用ガイドレール及び前記カウンタウェイト用ガイドレールの少なくとも一方に支持され、前記乗りかごと前記カウンタウェイトを懸架している１組のロープを巻上げ駆動するトラクションシーブを有した駆動装置とを備え、
前記駆動装置が支持される昇降路上部近傍のガイドレールの取付手段は、それ以外のガイドレールの取付手段より曲げ剛性及び機械強度の大きい部材としたことを特徴とする機械室をなくしたエレベータ装置である。
【手続補正５】
【補正対象書類名】明細書
【補正対象項目名】００１５
【補正方法】変更
【補正の内容】
【００１５】
前記目的を達成するため、請求項３に対応する発明は、前記ガイドレールを取付ける前記取付手段の他端部に前記ガイドレールから作用する荷重をＷ、前記アンカボルトの許容引張力をｆ、前記アンカボルトの１列当たりの個数をｎ、前記アンカボルトの前記昇降路壁の上下方向の配列間隔をＬとしたとき、Ｗｈ／２ｎｆ≦Ｌ≦Ｗｈ／ｎｆを満足するように、前記アンカボルトの昇降路上下方向の取付け間隔を定めたことを特徴とする請求項１又は２記載のエレベータ装置である。
【手続補正６】
【補正対象書類名】明細書
【補正対象項目名】００１６
【補正方法】変更
【補正の内容】
【００１６】
前記目的を達成するため、請求項４に対応する発明は、次のようにしたものである。前記取付手段は、前記ガイドレールに取付けられるブラケットと、前記ブラケットに接合され前記昇降路壁に取付けられるファスナを備えたことを特徴とする請求項１乃至３のいずれか一つに記載のエレベータ装置である。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】変更
【補正の内容】
【００１８】
前記目的を達成するため、請求項５に対応する発明は、次のようにしたものである。前記取付手段は、前記ガイドレールに取付けられる断面コ字形のブラケットと、前記ブラケットに接合され前記昇降路壁に取付けられる断面Ｌ字形又は断面Ｔ字形のファスナを備えたことを特徴とする請求項１乃至３のいずれか一つに記載のエレベータ装置である。
【手続補正９】
【補正対象書類名】明細書
【補正対象項目名】００１９
【補正方法】変更
【補正の内容】
【００１９】
本発明によれば、ガイドレール長手方向に荷重が作用してもガイドレール取付手段に発生する曲げモーメン卜を最小限にしたエレベータ装置を提供することができる。